【手続補正書】
【提出日】令和2年10月26日(2020.10.26)
【手続補正１】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣り用リール、特に、釣り糸を前方に繰り出し可能な両軸受リールに関する。
【背景技術】
【０００２】
両軸受リールには、ハンドルからスプールへの回転力の伝達及び遮断を切り換えるためのクラッチ操作部材がスプールの後方に設けられている（特許文献１参照）。また、クラッチ操作部材は、上下方向に移動可能にリール本体に支持されている。
【先行技術文献】
【特許文献】
【０００３】
【特許文献１】実開平４−１３３１７８号公報
【発明の概要】
【発明が解決しようとする課題】
【０００４】
クラッチ操作部材は、軸方向の長さが短いほど上下方向の移動もスムーズになる。しかしながら、特許文献１のクラッチ操作部材のように、クラッチ操作部材の軸方向の長さをスプールの軸方向の長さよりも短くした場合、クラッチ操作部材とリール本体との間に釣り糸が入り込み易くなり、糸絡みが生じるおそれがある。
【０００５】
本発明の課題は、クラッチ操作部材の軸方向の長さをスプールの軸方向の長さよりも短くした場合であっても、クラッチ操作部材とリール本体との間における糸絡みを防止することにある。
【課題を解決するための手段】
【０００６】
本発明の一側面に係る両軸受リールは、釣り糸を前方に繰り出し可能であり、リール本体と、スプールと、クラッチ操作部材と、障壁部と、を備える。リール本体は、第１側板、及び第１側板と軸方向に間隔を隔てて配置された第２側板、を有する。スプールは、第１側板と第２側板との間でリール本体に回転可能に支持される。スプールは、外周に釣り糸を巻き付け可能な糸巻き胴部、糸巻き胴部の第１側板側に糸巻き胴部よりも大径に形成された第１フランジ部、及び糸巻き胴部の第２側板側に糸巻き胴部よりも大径に形成された第２フランジ部、を有する。クラッチ操作部材は、スプールよりも後方で第１側板と第２側板との間でリール本体に上下方向に移動可能に支持され、スプールへの回転力の伝達及び遮断を切り換える。クラッチ操作部材は、スプールの軸方向の長さよりも軸方向の長さが短い操作部を有する。障壁部は、クラッチ操作部材及びリール本体の一方に設けられ、クラッチ操作部材とリール本体の第１側板との間に釣り糸が侵入することを防止する。
【０００７】
この両軸受リールでは、クラッチ操作部材とリール本体との間に釣り糸が侵入しようとした場合、釣り糸は障壁部に接触する。すなわち、障壁部が壁となって釣り糸の侵入が規制される。このため、障壁部によってクラッチ操作部材とリール本体との間に釣り糸が侵入することを防止できる。これにより、クラッチ操作部材とリール本体との間における糸絡みを防止できる。また、クラッチ操作部材の操作部の軸方向の長さがスプールの軸方向の長さよりも短いため、クラッチ操作部材の上下方向の移動がスムーズになる。
【０００８】
好ましくは、障壁部は、クラッチ操作部材及びリール本体の第１側板側の一方からクラッチ操作部材及びリール本体の第１側板側の他方に向かって突出する。この場合は、簡単な構成でクラッチ操作部材とリール本体との間に釣り糸が侵入することを防止できるとともに、両軸受リールの設計の自由度が増す。
【０００９】
好ましくは、障壁部は、クラッチ操作部材からリール本体の第１側板に向かって突出し、クラッチ操作部材と一体的に移動する。この場合は、障壁部がクラッチ操作部材と一体的に移動するため、例えば、障壁部をクラッチ操作部材の上端に設けるだけで、クラッチ操作部材とリール本体との間に釣り糸が侵入することを防止できる。
【００１０】
好ましくは、障壁部は、前後方向において、少なくとも一部がスプールの第１フランジ部と重なる位置に配置される。この場合は、障壁部によってクラッチ操作部材とリール本体の第１側板との間に釣り糸が侵入することを効果的に防止できる。
【００１１】
好ましくは、障壁部は、釣り糸をリール本体の第１側板側からクラッチ操作部材の操作部に向けて誘導する傾斜部を有する。この場合は、傾斜部によって障壁部に接触した釣り糸がクラッチ操作部材とリール本体との間から遠ざかる位置に案内されるため、よりクラッチ操作部材とリール本体との間に釣り糸が侵入することを防止できる。
【発明の効果】
【００１２】
本発明によれば、クラッチ操作部材の軸方向の長さをスプールの軸方向の長さよりも短くした場合であっても、クラッチ操作部材とリール本体との間における糸絡みを防止することができる。
【図面の簡単な説明】
【００１３】
【図１】本発明の一実施形態が採用された両軸受リールの斜視図。
【図２】フレーム及びクラッチ操作部材の分解斜視図。
【図３】クラッチ操作部材の側面図。
【図４】両軸受リールの部分平面図。
【図５】他の実施形態に係る図４に相当する図。
【発明を実施するための形態】
【００１４】
以下の説明において、釣りを行うときに、釣糸が繰り出される方向を前、その反対方向を後という。また、左右とは、両軸受リール１００を後方から見たときの左右をいう。また、スプール軸１０が延びる方向を軸方向という。
【００１５】
本発明の一実施形態を採用した両軸受リール１００は、釣り糸を前方に繰り出し可能である。両軸受リール１００は、図１乃至図４に示すように、リール本体２と、スプール３と、ハンドル４と、クラッチ操作部材２０と、を備えている。
【００１６】
リール本体２は、図１及び図２に示すように、フレーム６と、第１側カバー７ａと、第２側カバー７ｂと、を有している。フレーム６は、第１側板６ａと、第２側板６ｂと、複数の連結部６ｃと、を有している。
【００１７】
第１側板６ａは、フレーム６の右側に配置されている。第１側板６ａは、第１側板６ａの後部の内周面に装着された第１案内板１６ａを有している。第２側板６ｂは、第１側板６ａと軸方向に間隔を隔てて、フレーム６の左側に配置されている。第２側板６ｂは、第２側板６ｂの後部の内周面に装着された第２案内板１６ｂを有している。第１案内板１６ａ及び第２案内板１６ｂは、概ね上下方向に延びる案内溝１６ｆを有している。複数の連結部６ｃは、軸方向に延びて第１側板６ａと第２側板６ｂとを連結している。なお、第１案内板１６ａ及び第２案内板１６ｂは、フレーム６と一体に形成してもよい。
【００１８】
第１側カバー７ａは、フレーム６の第１側板６ａの右側方を覆う。第２側カバー７ｂは、フレーム６の第２側板６ｂの左側方を覆う。
【００１９】
スプール３は、第１側板６ａと第２側板６ｂとの間でリール本体２に回転自在に支持されている。詳細には、スプール３は、スプール３の中央を軸方向に貫通するスプール軸１０に固定されており、スプール軸１０と一体的に回転する。スプール軸１０は、リール本体２に配置された図示しない１対の軸受を介して、リール本体２に回転可能に支持されている。
【００２０】
スプール３は、糸巻き胴部３ａと、第１フランジ部３ｂと、第２フランジ部３ｃと、を有している。糸巻き胴部３ａは、外周に釣り糸を巻き付け可能である。第１フランジ部３ｂは、糸巻き胴部３ａの第１側板６ａ側に糸巻き胴部３ａの外径よりも大径に形成されている。第２フランジ部３ｃは、糸巻き胴部３ａの第２側板６ｂ側に糸巻き胴部３ａの外径よりも大径に形成されている。
【００２１】
ハンドル４は、リール本体２に回転自在に支持されている。ハンドル４の回転は、図示しない回転伝達機構を介して、スプール３に伝達される。回転伝達機構は、従来と同様の構成であるため説明を省略する。
【００２２】
クラッチ操作部材２０は、ハンドル４の回転操作に伴うスプール３への回転力の伝達及び遮断を切り換えるための操作部材である。クラッチ操作部材２０は、スプール３よりも後方に配置され、第１側板６ａと第２側板６ｂとの間でリール本体２に上下方向に移動可能に支持されている。図３は、クラッチ操作部材２０の側面図である。クラッチ操作部材２０は、実線で示す第１位置と、破線で示す第２位置との間で移動可能である。クラッチ操作部材２０が第１位置にあるときは、スプール３にハンドル４の回転力が伝達される。反対に、クラッチ操作部材２０が第２位置にあるときは、スプール３にハンドル４の回転力が伝達されない。なお、図１及び図４では、クラッチ操作部材２０が第１位置にあるときの状態を示している。
【００２３】
なお、クラッチ操作部材２０は、第１側板側に配置される連結部材１５を介して、図示しないクラッチ制御機構に連結されている。クラッチ制御機構は、クラッチ操作部材２０の操作に応じて、スプール３とハンドル４とを連結、又はスプール３とハンドル４との連結を解除する。クラッチ操作部材２０は、クラッチ操作部材２０が第２位置にあるときにハンドル４が糸巻き取り方向に回転すると、図示しないクラッチ戻し機構により、第２位置から第１位置に移動する。クラッチ制御機構及びクラッチ戻し機構は、従来と同様の構成であるため説明を省略する。
【００２４】
クラッチ操作部材２０は、操作部２１と、第１障壁部２２と、第２障壁部２３と、を有している。第１障壁部２２及び第２障壁部２３は、障壁部の一例である。
【００２５】
操作部２１は、クラッチ操作部材２０を第１位置から第２位置、又は第２位置から第１位置に移動させるときに使用される。具体的には、操作部２１を親指で押し下げることで、クラッチ操作部材２０を第１位置から第２位置に移動させることができる。また、操作部２１は、親指を載置するサムレストとしても機能する。また、図４に示すように、操作部２１の軸方向の長さＬ１は、スプール３の軸方向の長さＬ２よりも短い。
【００２６】
操作部２１は、カバー部材２４と、支持部材２５と、を有している。カバー部材２４は、支持部材２５の上部及び後部を覆うようにして、支持部材２５に一体移動可能に固定されている。カバー部材２４は、図４に示すように、支持部材２５の第１側面２５ａと第２側面２５ｂとの軸方向間に配置されている。また、カバー部材２４は、図３及び図４に示すように、支持部材２５よりも後方に突出している。なお、カバー部材２４は、支持部材２５と一体に形成してもよい。
【００２７】
支持部材２５は、カバー部材２４を一体移動可能に支持する。支持部材２５の第１側面２５ａは、軸方向において第１案内板１６ａに対向して配置され、第１案内板１６ａに対して摺動可能である。支持部材２５の第２側面２５ｂは、軸方向において第２案内板１６ｂに対向して配置され、第２案内板１６ｂに対して摺動可能である。
【００２８】
支持部材２５は、図２及び図３に示すように、支持部材２５の第１側面２５ａ及び第２側面２５ｂを軸方向に貫通する貫通部２５ｃを有している。この貫通部２５ｃを連結部材１５が貫通することで、連結部材１５が支持部材２５に連結されている。
【００２９】
第１障壁部２２は、クラッチ操作部材２０及びリール本体２の一方に設けられ、クラッチ操作部材２０とリール本体２の第１側板６ａとの間に釣り糸が侵入することを防止する。本実施形態では、第１障壁部２２は、クラッチ操作部材２０に設けられている。詳細には、第１障壁部２２は、図２及び図３に示すように、支持部材２５の第１側面２５ａの上端に設けられ、図４に示すように、支持部材２５の第１側面２５ａからリール本体２の第１側板６ａに向かって突出する。また、第１障壁部２２は、図４に示すように、前後方向において、少なくとも一部がスプール３の第１フランジ部３ｂと重なる位置に配置されている。言い換えると、第１障壁部２２は、少なくとも一部がスプール３の糸巻き胴部３ａよりも軸方向外側に配置されている。なお、第１障壁部２２を支持部材２５の下端側にさらに設けてもよい。
【００３０】
第１障壁部２２は、クラッチ操作部材２０と一体的に移動する。第１障壁部２２は、前後方向において、第１案内板１６ａと対向する位置に配置されており、第１案内板１６ａの外縁に沿って摺動可能である。また、第１障壁部２２の外側面２２ａは、軸方向において第１側板６ａと対向し、第１側板６ａに対して摺動可能である。
【００３１】
第１障壁部２２は、第１障壁部２２の上部に形成された傾斜部２２ｂを有している。傾斜部２２ｂは、釣り糸をリール本体２の第１側板６ａ側からクラッチ操作部材２０の操作部２１に向けて誘導する。本実施形態では、傾斜部２２ｂは、後方から見たとき、左下がりに傾斜している。
【００３２】
第２障壁部２３は、クラッチ操作部材２０とリール本体２の第２側板６ｂとの間に釣り糸が侵入することを防止する。第２障壁部２３は、支持部材２５の第２側面２５ｂからリール本体２の第２側板６ｂに向かって突出する。第２障壁部２３は、第１障壁部２２と左右対称形状であり、ここでは詳細な説明を省略する。
【００３３】
上記構成の両軸受リール１００では、第１障壁部２２によってクラッチ操作部材２０とリール本体２の第１側板６ａとの間に釣り糸が侵入することを防止できる。詳細には、両軸受リール１００の使用時において、特にクラッチ操作部材２０及びリール本体２の上方からクラッチ操作部材２０とリール本体２との間に釣り糸が侵入しようとすると、釣り糸が第１障壁部２２に接触して、釣り糸の侵入が規制される。また、本実施形態では、第１障壁部２２が前後方向においてスプール３の第１フランジ部３ｂと重なる位置に配置されているため、クラッチ操作部材２０とリール本体２の第１側板６ａとの間に釣り糸が侵入することを効果的に防止できる。さらに、第１障壁部２２に傾斜部２２ｂを設けることで、第１障壁部２２に接触した釣り糸がリール本体２の第１側板６ａ側からクラッチ操作部材２０の操作部２１に向けて誘導される。このため、さらに効果的にクラッチ操作部材２０とリール本体２の第１側板６ａとの間に釣り糸が侵入することを防止できる。また、上記構成の両軸受リール１００では、操作部２１の軸方向の長さＬ１は、スプール３の軸方向の長さＬ２よりも短いため、クラッチ操作部材２０とリール本体２の第１側板６ａとの間への釣り糸の侵入を防止しつつ、クラッチ操作部材２０の上下方向の移動をスムーズに行うことができる。なお、第２障壁部２３についても、第２側板６ｂ側において第１障壁部２２と同様の効果を得ることができる。
【００３４】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００３５】
（ａ）前記実施形態では、第１障壁部２２及び第２障壁部２３をクラッチ操作部材２０に設けていたが、第１障壁部２２及び第２障壁部２３をリール本体２に設けてもよい。この場合、図５に示すように、第１障壁部１２２は、リール本体１０２の第１側板１０６ａ側からクラッチ操作部材１２０に向かって突出し、第２障壁部１２３は、リール本体１０２の第２側板１０６ｂ側からクラッチ操作部材１２０に向かって突出する。ここでは、第１障壁部１２２は、第１案内板１１６ａに設けられ、第２障壁部１２３は、第２案内板１１６ｂに設けられている。なお、第１障壁部１２２及び第２障壁部１２３は、第１側板１０６ａ及び第２側板１０６ｂと一体に設けてもよい。また、第１障壁部１２２及び第２障壁部１２３をリール本体１０２に設ける場合は、クラッチ操作部材１２０の第１位置及び第２位置の移動範囲の長さに応じた第１障壁部１２２及び第２障壁部１２３を設けることが好ましい。
【００３６】
また、クラッチ操作部材２０及びリール本体２の一方に第１障壁部２２を設けて、クラッチ操作部材２０及びリール本体２の他方に第２障壁部２３を設けてもよい。具体的には、例えば、リール本体２の第１側板６ａ側には、クラッチ操作部材２０に第１障壁部２２を設けて、リール本体２の第２側板６ｂ側には、リール本体２に第２障壁部２３を設けてよい。
【００３７】
（ｂ）前記実施形態では、両軸受リール１００は第１障壁部２２及び第２障壁部２３を有していたが、両軸受リール１００は、第１障壁部２２及び第２障壁部２３の少なくとも一方を有していればよい。
【符号の説明】
【００３８】
２，１０２  リール本体
３  スプール
３ａ  糸巻き胴部
３ｂ  第１フランジ部
３ｃ  第２フランジ部
６ａ，１０６ａ  第１側板
６ｂ，１０６ｂ  第２側板
２０，１２０  クラッチ操作部材
２１  操作部
２２，１２２  第１障壁部（障壁部の一例）
２２ｂ  傾斜部
２３，１２３  第２障壁部（障壁部の一例）
１００  両軸受リール